(57)【要約】【課題】異なる複数の撮影条件によって得られた静止画像の撮影条件を評価してその評価結果をそれぞれの静止画像とともに表示可能な撮像装置を提供すること。【解決手段】自動又は手動で撮影条件が設定され、撮影実行が指示されたときに、設定された撮影条件と、設定された撮影条件を微調整することにより得られる撮影条件とで複数回の静止画撮影を行う（ステップＳ１）。静止画撮影後、各静止画像を評価するための画像評価値を算出し（ステップＳ２）、算出した画像評価値に基づいて撮影条件が最適な静止画像を判別する（ステップＳ３）。最適な撮影条件の静止画像の判別後、静止画像の同時表示を行うとともに、最適な撮影条件の静止画像に推奨表示を行う（ステップＳ４）。【選択図】図５
2009071515.tif 000002
【特許請求の範囲】
【請求項１】
被写体を撮像する撮像手段と、
上記撮像手段による静止画撮影のための撮影条件を設定する撮影条件設定手段と、
上記設定された撮影条件と、上記設定された撮影条件を微調整することにより得られる複数の撮影条件とで上記撮像手段による静止画撮影を行う制御手段と、
上記静止画撮影によって得られる複数の静止画像を同時に表示するマルチウィンドウ表示手段と、
上記複数の静止画像のそれぞれの撮影条件を評価して評価値を得る画像評価手段と、
を具備し、
上記マルチウィンドウ表示手段は、上記複数の静止画像を表示する際に、上記画像評価手段により得られた評価値をそれぞれの撮影条件に対応する静止画像に重ねて表示させることを特徴とする撮像装置。
【請求項２】
上記画像評価手段によって得られた評価値を評価して最適な撮影条件の静止画像を選択する最適画像選択手段をさらに具備し、
上記マルチウィンドウ表示手段は、上記評価値を表示させる代わりに、上記最適な撮影条件であるとして選択された静止画像に重ねて推奨表示を行うことを特徴とする請求項１に記載の撮像装置。
【請求項３】
上記制御手段は、上記静止画撮影に先立って、選択された被写体を含む測距領域に対して上記撮像手段のフォーカス制御を行い、
上記画像評価手段は、上記複数の静止画像のそれぞれにおける測距領域内で上記撮影条件を評価することを特徴とする請求項２に記載の撮像装置。
【請求項４】
上記マルチウィンドウ表示手段によって表示された複数の静止画像の中から何れか１つを選択する選択手段をさらに具備し、
上記制御手段は、上記推奨表示がなされてから所定時間内に上記選択手段による選択がなされたかを判定し、上記判定の結果、上記所定時間内に上記選択手段による選択がなされた場合には上記選択手段によって選択された静止画像を記録媒体に記録させ、上記所定時間内に上記選択手段による選択がなされなかった場合には上記最適な撮影条件であるとして選択された静止画像を上記記録媒体に記録させることを特徴とする請求項２又は３に記載の撮像装置。
【請求項５】
上記制御手段は、上記記録媒体に記録させなかった静止画像を破棄することを特徴とする請求項４に記載の撮像装置。
【請求項６】
上記制御手段は、上記記録媒体への記録の後、全ての静止画像を破棄することを特徴とする請求項４に記載の撮像装置。
【請求項７】
上記制御手段は、上記所定時間内に上記選択手段による選択がなされた場合で、上記選択手段によって、上記最適な撮影条件であるとして選択された静止画像以外の静止画像が選択された場合には、上記選択された静止画像とともに上記最適な撮影条件であるとして選択された静止画像を上記記録媒体に記録させることを特徴とする請求項４に記載の撮像装置。
【請求項８】
上記撮影条件は、上記撮像手段の露光時間、上記静止画像のブレ量、上記静止画像のホワイトバランスの少なくとも何れかを含むことを特徴とする請求項１に記載の撮像装置。
【発明の詳細な説明】
【技術分野】
【０００１】
本発明は、静止画撮影によって得られる画像を確認できる撮像装置に関する。
【背景技術】
【０００２】
ある１つのシーンに対する複数の撮影条件に対応した撮影結果を撮像装置と一体に設けられた表示装置上で確認できる撮像装置として、特許文献１において提案されているものがある。この特許文献１の提案では、撮像手段によって撮像された単一の画像に基づき、異なる露出又はピントによる複数の画像信号を画像信号処理回路において生成し、これら生成した画像信号に基づいて露出又はピントの異なる画像を同時に表示させ、この同時表示させた画像の中から選択された画像のみを記録媒体に記録させるようにしている。
【特許文献１】特許第３１３９０２８号公報
【発明の開示】
【発明が解決しようとする課題】
【０００３】
ここで、特許文献１のように複数の静止画像を同時に表示させるだけではどの画像が良いのかを判断し難い場合がある。
【０００４】
本発明は、上記の事情に鑑みてなされたもので、異なる複数の撮影条件によって得られた静止画像の撮影条件を評価してその評価結果をそれぞれの静止画像とともに表示可能な撮像装置を提供することを目的とする。
【課題を解決するための手段】
【０００５】
上記の目的を達成するために、本発明の第１の態様の撮像装置は、被写体を撮像する撮像手段と、上記撮像手段による静止画撮影のための撮影条件を設定する撮影条件設定手段と、上記設定された撮影条件と、上記設定された撮影条件を微調整することにより得られる複数の撮影条件とで上記撮像手段による静止画撮影を行う制御手段と、上記静止画撮影によって得られる複数の静止画像を同時に表示するマルチウィンドウ表示手段と、上記複数の静止画像のそれぞれの撮影条件を評価して評価値を得る画像評価手段とを具備し、上記マルチウィンドウ表示手段は、上記複数の静止画像を表示する際に、上記画像評価手段により得られた評価値をそれぞれの撮影条件に対応する静止画像に重ねて表示させることを特徴とする。
【発明の効果】
【０００６】
本発明によれば、異なる複数の撮影条件によって得られた静止画像の撮影条件を評価してその評価結果をそれぞれの静止画像とともに表示可能な撮像装置を提供することができる。
【発明を実施するための最良の形態】
【０００７】
以下、図面を参照して本発明の実施形態を説明する。  
［第１の実施形態］
まず、本発明の第１の実施形態について説明する。図１は、本発明の第１の実施形態に係る撮像装置の一例としてのデジタルカメラの構成を示すブロック図である。図１に示すデジタルカメラは、フォーカスレンズ１２と、ズームレンズ１３と、絞り機構１４と、イメージセンサ１５と、フォーカス制御部１６と、ＡＦモータ１７と、ズーム制御部１８と、ズームモータ１９と、絞り制御部２０と、絞りモータ２１と、イメージセンサドライバ２２と、タイミングジェネレータ（ＴＧ）回路２３と、撮像回路２４と、バス２５と、ＡＥ処理部２６と、ＡＦ処理部２７と、画像処理回路２８と、圧縮伸張部２９と、ＳＤＲＡＭ３０と、記録媒体３１と、ＬＣＤドライバ３２と、ＬＣＤ３３と、Ｆｌａｓｈメモリ３４と、ＣＰＵ３５と、操作部３６と、スピーカ３７と、電源部３８とを有して構成されている。
【０００８】
フォーカスレンズ１２は、フォーカスレンズ１２及びズームレンズ１３から構成される撮影レンズにおけるフォーカス調整を行うためのレンズ系である。このフォーカスレンズ１２は、図示一点鎖線で示す光軸方向に駆動されて撮影レンズの焦点位置を調整する。ズームレンズ１３は、撮影レンズにおけるズーム調整を行うためのレンズ系である。このズームレンズ１３は、図示一点鎖線で示す光軸方向に駆動されて撮影レンズの焦点距離を調整する。絞り機構１４は、開閉自在に構成され、フォーカスレンズ１２及びズームレンズ１３を介して入射する図示しない被写体からの光のイメージセンサ１５への入射量を調整する。イメージセンサ１５は、図示しない被写体からの光をその光量に応じた電荷に変換し、変換した電荷を電気信号（撮像信号）として出力する。
【０００９】
フォーカス制御部１６は、ＣＰＵ３５の制御の下、ＡＦモータ１７を駆動してフォーカスレンズ１２を光軸方向に移動させる。ズーム制御部１８は、ＣＰＵ３５の制御の下、ズームモータ１９を駆動してズームレンズ１３を光軸方向に移動させる。絞り制御部２０は、ＣＰＵ３５の制御の下、絞りモータ２１を駆動して絞り機構１４の開閉を行う。
【００１０】
イメージセンサドライバ２２は、ＣＰＵ３５の制御の下、ＴＧ回路２３から出力されるタイミング信号に従ってイメージセンサ１５の駆動を制御する。撮像回路２４は、ＣＰＵ３５の制御の下、ＴＧ回路２３から出力されるタイミング信号に従ってイメージセンサ１５から出力される撮像信号に対して撮像処理を施す。この撮像処理は、例えば撮像信号におけるノイズを除去するための相関二重サンプリング（ＣＤＳ）処理及び撮像信号を所定のゲイン量に従って増幅するゲイン調整（ＡＧＣ）処理等のアナログ処理と、これらアナログ処理された撮像信号をデジタル信号に変換して画像データを得るＡＤ変換（ＡＤＣ）処理等が含まれる。
【００１１】
バス２５は、撮像回路２４、ＡＥ処理部２６、ＡＦ処理部２７、画像処理回路２８、圧縮伸張部２９、ＳＤＲＡＭ３０、記録媒体３１、ＬＣＤドライバ３２、Ｆｌａｓｈメモリ３４、ＣＰＵ３５に接続され、これらの各部で発生したデータを転送するための転送路である。
【００１２】
ＡＥ処理部２６は、撮像回路２４で得られた画像データの所定領域毎にＡＥ評価値を算出し、算出したＡＥ評価値をＣＰＵ３５に出力する。ＡＦ処理部２７は、撮像回路２４で得られた画像データの所定領域毎にＡＦ評価値を算出し、算出したＡＦ評価値をＣＰＵ３５に出力する。ＣＰＵ３５はＡＥ評価値を評価してイメージセンサ１５の露光時間や絞り機構１４の開口量を制御するＡＥ処理を行うとともに、ＡＦ評価値を評価してフォーカス制御部１６を制御して撮影レンズの焦点位置を調整するＡＦ処理を行う。
【００１３】
画像処理回路２８は、撮像回路２４で得られた画像データに、ホワイトバランス補正、エッジ処理等の画像処理を施す。圧縮伸張部２９は、画像の記録時には、画像処理回路２８で画像処理された画像データをＪＰＥＧ方式等の所定の圧縮方式で圧縮する。また、圧縮伸張部２９は、画像の再生時には、圧縮された画像データを伸張する。
【００１４】
ＳＤＲＡＭ３０は、撮像回路２４、画像処理回路２８、圧縮伸張部２９等の各部で発生した処理データを一時的に格納する記憶部である。ここで、本実施形態におけるＳＤＲＡＭ３０は、図２に示すように、複数のバッファメモリ（バッファ１、２、３、４）を有している。バッファメモリは、１フレーム分の画像データを記憶できるだけの容量を有し、少なくとも後述する静止画像の同時表示の際にＬＣＤ３３に同時表示させる静止画像の枚数分（ここでは、４枚分）だけ設けられている。
【００１５】
記録媒体３１は、当該デジタルカメラに対して着脱自在に構成されたメモリカード等の記録媒体であり、圧縮伸張部２９で圧縮された画像データを記録する。
【００１６】
ＬＣＤドライバ３２は、画像処理回路２８で処理された画像データや、圧縮伸張部２９で伸張された画像データを映像信号に変換し、この映像信号に基づいてＬＣＤ３３に画像表示を行う。
【００１７】
Ｆｌａｓｈメモリ３４は、ＣＰＵ３５によって実行される各種の制御プログラムや、各種の制御プログラムの実行の際に用いられるパラメータ等を記録する。ＣＰＵ３５は、Ｆｌａｓｈメモリ３４に記録されている制御プログラムに従って図１の各部の動作を制御することにより、スルー画表示動作や、画像撮影動作、画像再生動作等の当該デジタルカメラの各種の動作を統括的に制御する。操作部３６は、ＣＰＵ３５に接続され、ＣＰＵ３５に対して各種の指示を与える。ＣＰＵ３５は、操作部３６による指示の内容に従って各種の動作制御を行う。
【００１８】
スピーカ３７は、ＣＰＵ３５の制御に従って警告音を発する。電源部３８は、乾電池等の電源とＤＣ／ＤＣコンバータ等から構成され、ＤＣ／ＤＣコンバータによって、電源の電圧から図１の各部が必要とする電圧を生成し、生成した電圧を各部に供給する。
【００１９】
以下、図１に示すデジタルカメラの動作について説明する。なお、ここでは、図１に示すデジタルカメラにおける静止画撮影後の同時表示の動作について特に説明する。図３は、同時表示の際の各部の動作について示す図である。ここで、図３の動作は、ユーザによって静止画撮影の実行が指示された後に行われる。例えば、ユーザによって静止画撮影の実行が指示されると、静止画撮影に先立って自動又は手動で設定された撮影条件と、この設定された撮影条件を微調整して得られる複数の撮影条件とで複数回の静止画撮影（露光）が行われる。図３は、４つの異なる撮影条件Ａ、Ｂ、Ｃ、Ｄで撮影が行われる例を示している。なお、撮影条件としては、各静止画像の露光量、各静止画像のブレ量、各静止画像のホワイトバランス、感度等を変更することができる。これらのうちの何れを変化させるかは、ユーザが設定できるものである。
【００２０】
また、各フレームにおける静止画撮影は、ＴＧ回路２３からのタイミング信号がイメージセンサドライバ２２に出力されると開始される。そして、各フレームにおいて設定された露光時間が経過する毎にタイミング信号がイメージセンサドライバ２２及び撮像回路２４に出力される。これにより、その撮像フレームでの露光が終了され、撮像回路２４による画像信号の読み出しが行われる。その後、ＴＧ回路２３からのタイミング信号が出力されて次のフレームにおける静止画撮影が実行される。撮像回路２４では、画像信号に、ＣＤＳ処理、ＡＧＣ処理、ＡＤＣ処理等が施される。撮像回路２４で得られた画像データは、バス２５を介してＳＤＲＡＭ３０に格納される。なお、ここでの静止画撮影は、所謂電子シャッタを利用した例であるが、各フレームにおける静止画撮影を機械式のシャッタを利用して行うようにしても良い。
【００２１】
ＳＤＲＡＭ３０に格納された画像データは画像処理回路２８によって読み出される。そして、画像処理回路２８において処理されて静止画像データ（Ａ、Ｂ、Ｃ、Ｄ）が生成される。画像処理回路２８において処理されて得られた静止画像データＡ、Ｂ、Ｃ、ＤはＳＤＲＡＭ３０のバッファ１、２、３、４に順次格納される。
【００２２】
ＳＤＲＡＭ３０のバッファ１、２、３、４に静止画像データが格納されると、画像処理回路２８によって各バッファメモリに格納された静止画像データが読み出される。そして、各静止画像データに対してリサイズ処理等の同時表示用の画像処理が行われ、その後、ＬＣＤドライバ３２により、同時表示用の画像処理が行われた各静止画像データがＬＣＤ３３に図４に示すようにして、同時表示される。さらに、本実施形態においては同時表示させる各静止画像の評価が行われ、この評価結果がＬＣＤ３３に表示される。
【００２３】
図４は、複数の露光時間で静止画撮影を行った結果を同時表示させる際の評価表示の例として、推奨表示を行う場合の例を示す図である。ここで、図４の例は、デジタルカメラによって静止画像Ｃが最適な露出量の静止画像として選択された例を示している。図４に示すように、本実施形態においては、最適な撮影条件であるとして選択された静止画像に、推奨表示として、どの静止画像が最適な撮影条件で撮影されているかを示す文字表示（図４の例では“推奨”の文字表示）３３ａと、その静止画像が推奨される理由を示す表示として、例えば静止画像を評価するための基準とした撮影条件を示すための文字表示（図４の例では、“露出”の文字表示）３３ｂとを表示させるようしている。
【００２４】
ユーザは、図４のようにして表示された静止画像の中から、記録媒体３１に記録させたい静止画像を選択することができる。このために、同時表示の際には、ユーザが現在選択されている静止画像を確認するための枠３３ｃもＬＣＤ３３上に重畳表示させる。ユーザは、操作部３６を操作して枠３３ｃを移動させて所望の撮影条件の静止画像を選択する。なお、静止画像を選択するための操作部としては、例えば十字キーのような操作部が考えられるが、これに限るものではない。例えば、ＬＣＤ３３にタッチパネルを設けることにより、ＬＣＤ３３を静止画像の選択を行うための操作部とすることもできる。
【００２５】
ここで、同時表示する際の画像サイズは、ＬＣＤ３３に同時表示させる静止画像の枚数に応じて変化させる。例えば、４枚の静止画像Ａ、Ｂ、Ｃ、ＤをＬＣＤ３３に同時表示させる場合には、それぞれの静止画像データの画像サイズを通常の表示用サイズの１／４に縮小する。
【００２６】
以下、静止画撮影時の同時表示及び評価表示についてさらに説明する。図５は、本実施形態における静止画撮影時の流れについて示したフローチャートである。なお、図５の処理は、ＣＰＵ３５の制御に従って行われるものである。また、操作部３６のレリーズボタンが押圧される等の撮影実行操作を受ける前の処理については従来と同様であるのでここでは説明を省略する。
【００２７】
操作部３６のレリーズボタンが押圧される等の撮影実行操作を受けて図５の処理が開始される。図５において、ＣＰＵ３５は、撮影条件を変えながら、同時表示させる静止画像の枚数分（図３の例では４回）の静止画撮影を行い、複数回の静止画撮影によって得られた複数の静止画像データをＳＤＲＡＭ３０のバッファメモリに順次記憶させる（ステップＳ１）。ここで、ブレ量を評価する場合には、各静止画撮影の撮影条件（露光量、感度、ホワイトバランス等）を等しくする。また、露光量を評価する場合には、撮影実行操作に先立って手動又は自動で設定された露光量での静止画撮影と、この露光量を所定の微調整幅（例えば１ＥＶ）ずつ増減させて得られる複数の露光量での静止画撮影とを実行して同時表示用の複数の静止画像を得るようにする。さらに、ホワイトバランスを評価する場合には、画像処理回路２８によるホワイトバランス補正のホワイトバランス補正量（ホワイトバランスゲイン）を変えながら複数回の静止画撮影を行って同時表示用の複数の静止画像を得るようにする。
【００２８】
次に、ＣＰＵ３５は、ＳＤＲＡＭ３０のバッファメモリに記憶させた静止画像データから、各静止画像データを評価するための画像評価値を算出させる（ステップＳ２）。ここで、ブレ量の評価を行う場合には、例えば、各フレームの静止画像における高周波成分（輪郭成分）を画像処理回路２８において抽出し、フレーム間での高周波成分の動き量をブレ量の画像評価値として算出する。また、露光量の評価を行う場合には、例えば、ＡＥ処理部２６において、各静止画像のＡＥ評価値の平均値を画像評価値として算出する。さらに、ホワイトバランスを評価する場合には、例えば、画像処理回路２８により、各静止画像において周知の顔検出を実行して顔部分のＲＧＢ値を画像評価値として算出する。
【００２９】
画像評価値を算出させた後、ＣＰＵ３５は、各静止画像の画像評価値を評価して、最適な撮影条件の静止画像を判別する（ステップＳ３）。ここで、ブレ量の評価を行う場合には、例えば、フレーム間での高周波成分の動き量が最も小さい画像を最適なブレ量の静止画像とする。また、露光量の評価を行う場合には、例えば、静止画像毎に求めたＡＥ評価値の中で、最も適正露光量に相当する値に近い静止画像を、露光量が適正な静止画像とする。さらに、ホワイトバランスを評価する場合には、例えば、各静止画像の顔部分のＲＧＢ値が、デジタルカメラ毎に設定されている肌色のＲＧＢ値に最も近い静止画像を、ホワイトバランスが最適な静止画像とする。
【００３０】
ステップＳ３において、最適な撮影条件の静止画像を選択した後、ＣＰＵ３５は、最適な撮影条件であるとして選択した静止画像に推奨表示が重畳されるようにＬＣＤドライバ３２を制御する（ステップＳ４）。図６は、静止画像にブレ量に関する推奨表示を行う場合の例を示す図である。図６の例は、静止画像Ｃが最適なブレ量の静止画像として選択されており、この場合には、静止画像Ｃに推奨表示３３ａとその静止画像が推奨される理由を示す“ブレ”の文字表示３３ｂとを表示させるようにしている。
【００３１】
ステップＳ４において推奨表示を行った後、ＣＰＵ３５は、内部の図示しないタイマーのカウントをスタートさせる（ステップＳ５）。このタイマーは、静止画像の自動記録までの待ち時間をカウントするためのタイマーである。タイマーのカウントスタート後、ＣＰＵ３５は、ユーザにより静止画像の選択がなされたかを判定する（ステップＳ６）。ステップＳ６の判定において、静止画像の選択がなされた場合に、ＣＰＵ３５は、タイマーをリセットした後（ステップＳ７）、ユーザによって選択された静止画像データを圧縮伸張部２９において圧縮し、記録媒体３１に記録させる（ステップＳ８）。
【００３２】
一方、ステップＳ６の判定において、ユーザによる静止画像の選択がなされていない場合に、ＣＰＵ３５は、タイマーが所定時間をカウントしたかを判定する（ステップＳ９）。ステップＳ９の判定において、タイマーが所定時間をカウントしていない場合には、ステップＳ６に戻り、ＣＰＵ３５は、ユーザによる静止画像の選択がなされたかを再び判定する。一方、ステップＳ９の判定において、タイマーが所定時間をカウントした場合に、ＣＰＵ３５は、最適な撮影条件であるとしてユーザに推奨した静止画像データを圧縮伸張部２９において圧縮し、記録媒体３１に記録させる（ステップＳ１０）。なお、ステップＳ１０において最適な撮影条件であるとしてユーザに推奨した静止画像データを記録する際には、その旨を例えばＬＣＤ３３上に表示させる等してユーザに通知するようにしても良い。
【００３３】
記録媒体３１に静止画像を記録させた後、ＣＰＵ３５は、記録媒体３１に記録させなかった静止画像データをＳＤＲＡＭ３０のバッファメモリから破棄する（ステップＳ１１）。これにより、記録媒体３１の記録容量を節約することが可能である。また、全ての静止画像データをＳＤＲＡＭ３０のバッファメモリから破棄するようにしても良い。ここで、推奨静止画像データ以外の静止画像データを記録媒体３１に記録させた場合だけは、推奨静止画像データも併せて記録させるようにしても良い。選択された推奨静止画像データ以外の静止画像データは、推奨静止画像データと撮影条件が近いものであるため、推奨静止画像データを記録媒体３１に記録させておくことにより、後で、ユーザが、推奨静止画像データの方が最適であると考えた場合、選択した静止画像データを記録媒体３１から削除し推奨静止画像データのみを残すということも可能となる。
【００３４】
以上説明したように、第１の実施形態によれば、複数の撮影条件で複数回の静止画撮影を行ってそれらの静止画像をＬＣＤ３３に同時表示させる際に、デジタルカメラが最適な撮影条件の静止画像を判別し、その判別した静止画像に対して推奨表示を行うようにしている。したがって、ユーザは、自身の判断だけでなく、デジタルカメラによる判断も考慮して記録媒体３１に記録させたい静止画像を選択することが可能である。
【００３５】
ここで、図５の処理では、静止画像に推奨表示を行うようにしているが、静止画像に画像評価値を表示させるようにしても良い。図７は、静止画像に画像評価値を表示させる場合の処理について示したフローチャートである。
【００３６】
操作部３６のレリーズボタンが押圧される等の撮影実行操作を受けて図７の処理が開始される。図７において、ＣＰＵ３５は、撮影条件を変えながら、同時表示させる静止画像の枚数分（図３の例では４回）の静止画撮影を行い、複数回の静止画撮影によって得られた複数の静止画像データをＳＤＲＡＭ３０のバッファメモリに順次記憶させる（ステップＳ２１）。
【００３７】
次に、ＣＰＵ３５は、ＳＤＲＡＭ３０のバッファメモリに記憶させた静止画像データから、各静止画像データを評価するための画像評価値（例えば、ブレ量に関する画像評価値である高周波成分の動き量）を算出させる（ステップＳ２２）。その後、ＣＰＵ３５は、図８に示すようにして、画像評価値３３ｄが各静止画像に重畳されるようにＬＣＤドライバ３２を制御する（ステップＳ２３）。なお、画像評価値は数値をそのまま表示させるだけでなく、その大きさを表す文字等を表示させるようにしても良い。例えば、ブレの場合には、ブレが大きい場合に“ブレ大”等の表示を行うようにしても良い。この他にもバー表示等を行うようにしても良い。
【００３８】
ステップＳ２３において画像評価値の重畳表示を行った後、ＣＰＵ３５は、ユーザにより静止画像の選択がなされたかを判定する（ステップＳ２４）。ステップＳ２４の判定において、静止画像の選択がなされた場合に、ＣＰＵ３５は、ユーザによって選択された静止画像データを圧縮伸張部２９において圧縮し、記録媒体３１に記録させる（ステップＳ２５）。記録媒体３１に静止画像を記録させた後、ＣＰＵ３５は、記録媒体３１に記録させなかった静止画像データをＳＤＲＡＭ３０のバッファメモリから破棄する（ステップＳ２６）。また、全ての静止画像データをＳＤＲＡＭ３０のバッファメモリから破棄するようにしても良い。
【００３９】
図７のような処理に従って、ＬＣＤ３３に画像評価値を表示させるようにしても、ユーザは、自身の判断だけでなく、それぞれの静止画像の撮影条件を実際に数値等で確認しながら静止画像の選択を行うことが可能である。
【００４０】
［第２の実施形態］
次に、本発明の第２の実施形態について説明する。第２の実施形態は、静止画像の評価をＡＦ処理と連携させて行う例である。
【００４１】
図９は、本実施形態における静止画撮影時の流れについて示したフローチャートである。なお、図９の処理は、ＣＰＵ３５の制御に従って行われるものである。ここで、図９の処理は撮影条件として各静止画像の露光量を評価する例を説明する。
【００４２】
操作部３６のレリーズボタンが押圧される等の撮影実行操作を受けて図９の処理が開始される。図９において、ＣＰＵ３５は、ＡＦ処理部２７において算出されるＡＦ評価値を評価しながら、主要被写体が存在する確率が高いＡＦエリア（例えば画面中央や最至近の被写体が存在するＡＦエリア、ユーザによって選択されたＡＦエリア等）に対して合焦するようにフォーカスレンズ１２を駆動させるＡＦ処理を行う（ステップＳ３１）。
【００４３】
次に、ＣＰＵ３５は、撮影条件（ここでは露光量）を変えながら、同時表示させる静止画像の枚数分（図３の例では４回）の静止画撮影を行い、複数回の静止画撮影によって得られた複数の静止画像データをＳＤＲＡＭ３０のバッファメモリに順次記憶させる（ステップＳ３２）。次に、ＣＰＵ３５は、ＳＤＲＡＭ３０のバッファメモリに記憶させた静止画像データにおける、フォーカスレンズ１２を合焦させたＡＦエリア内のデータから画像評価値（ここでは、ＡＥ評価値）を算出させる（ステップＳ３３）。
【００４４】
画像評価値を算出させた後、ＣＰＵ３５は、各静止画像の画像評価値を評価して、最適な撮影条件の静止画像を判別する（ステップＳ３４）。ここで、ステップＳ３３において主要被写体が存在しているＡＦ領域内の画像評価値を算出しているので、ステップＳ３４においては、主要被写体の露光量が最適な静止画像を判別していることになる。
【００４５】
ステップＳ３４において、最適な撮影条件の静止画像を選択した後、ＣＰＵ３５は、その最適な撮影条件の静止画像の画像評価値とその他の静止画像の画像評価値との差を算出する（ステップＳ３５）。そして、ＣＰＵ３５は、最適な撮影条件であるとして選択した静止画像に推奨表示が重畳されるように、また、それ以外の静止画像には最適な静止画像に対する画像評価値差が重畳されるように、ＬＣＤドライバ３２を制御する（ステップＳ３６）。
【００４６】
図１０は、第２の実施形態における推奨表示の例を示す図である。第２の実施形態では、第１の実施形態と同様に、どの静止画像が最適な撮影条件で撮影されているかを示す推奨表示３３ａと、その静止画像が推奨される理由を示す表示（図１０の例では、“露出”の文字表示）３３ｂを表示させるとともに、画面内のどのエリアの撮影条件が最適であるかを示すために、ＡＦエリア表示３３ｅを行う。ＡＦエリア表示３３ｅは、フォーカスレンズ１２が合焦しているＡＦエリア（図１０では中央）の表示色を、他のＡＦエリアの表示色と異ならせるようにする。さらに、推奨表示３３ａを重畳させた静止画像以外の静止画像については、推奨されている静止画像との画像評価値差（ここでは露出評価値差）表示３３ｆを行う。
【００４７】
図１０に示すような表示を行うことにより、デジタルカメラによって推奨された静止画像の推奨理由をより理解しやすくなり、ユーザが記録媒体３１に記録したい静止画像を判別しやすくなる。
【００４８】
ステップＳ３６において推奨表示を行った後、ＣＰＵ３５は、内部の図示しないタイマーのカウントをスタートさせる（ステップＳ３７）。タイマーのカウントスタート後、ＣＰＵ３５は、ユーザにより静止画像の選択がなされたかを判定する（ステップＳ３８）。ステップＳ３８の判定において、静止画像の選択がなされた場合に、ＣＰＵ３５は、タイマーをリセットした後（ステップＳ３９）、ユーザによって選択された静止画像データを圧縮伸張部２９において圧縮し、記録媒体３１に記録させる（ステップＳ４０）。
【００４９】
一方、ステップＳ３８の判定において、ユーザによる静止画像の選択がなされていない場合に、ＣＰＵ３５は、タイマーが所定時間をカウントしたかを判定する（ステップＳ４１）。ステップＳ４１の判定において、タイマーが所定時間をカウントしていない場合には、ステップＳ３８に戻り、ＣＰＵ３５は、ユーザによる静止画像の選択がなされたかを再び判定する。一方、ステップＳ４１の判定において、タイマーが所定時間をカウントした場合に、ＣＰＵ３５は、最適な撮影条件であるとしてユーザに推奨した静止画像データを圧縮伸張部２９において圧縮し、記録媒体３１に記録させる（ステップＳ４２）。なお、ステップＳ４２において最適な撮影条件であるとしてユーザに推奨した静止画像データを記録する際には、その旨を例えばＬＣＤ３３上に表示させる等してユーザに通知するようにしても良い。
【００５０】
記録媒体３１に静止画像を記録させた後、ＣＰＵ３５は、記録媒体３１に記録させなかった静止画像データをＳＤＲＡＭ３０のバッファメモリから破棄する（ステップＳ４３）。また、全ての静止画像データをＳＤＲＡＭ３０のバッファメモリから破棄するようにしても良い。第１の実施形態と同様に、推奨静止画像データ以外の静止画像データを、記録媒体３１に記録させた場合には、推奨静止画像データも併せて記録させるようにしても良い。選択された推奨静止画像データ以外の静止画像データは、推奨静止画像データと撮影条件が近いものであるため、推奨静止画像データを記録媒体３１に記録させておくことにより、後で、ユーザが、推奨静止画像データの方が最適であると考えた場合、選択した静止画像データを記録媒体３１から削除し推奨静止画像データのみを残すということも可能となる。
【００５１】
以上説明したように、第２の実施形態によれば、静止画像の評価を、主要被写体を含むＡＦエリア内でのみ行うことにより、ユーザが本当に知りたい情報に従って推奨表示を行うことができ、ユーザがより静止画像の選択を行いやすくなる。
【００５２】
ここで、第２の実施形態においては、露光量に関する推奨表示を行う例について説明しているが、ＡＦエリア内でホワイトバランスやブレ量に関する画像評価値を算出することにより、ホワイトバランスやブレ量に関する推奨表示を行うこともできる。
【００５３】
以上実施形態に基づいて本発明を説明したが、本発明は上述した実施形態に限定されるものではなく、本発明の要旨の範囲内で種々の変形や応用が可能なことは勿論である。
【００５４】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５５】
【図１】本発明の第１の実施形態に係る撮像装置の一例としてのデジタルカメラの構成を示すブロック図である。
【図２】ＳＤＲＡＭのバッファメモリについて示した図である。
【図３】静止画撮影時の同時表示の際の各部の動作について示す図である。
【図４】複数の露光時間で静止画撮影を行った結果を同時表示させる際の推奨表示を行う場合の例を示す図である。
【図５】第１の実施形態における静止画撮影時の流れについて示したフローチャートである。
【図６】第１の実施形態において静止画像にブレ量に関する推奨表示を行う場合の例を示す図である。
【図７】静止画像に画像評価値を表示させる場合の処理について示したフローチャートである。
【図８】静止画像に画像評価値を表示させる際の例を示す図である。
【図９】第２の実施形態における静止画撮影時の流れについて示したフローチャートである。
【図１０】第２の実施形態において静止画像にブレ量に関する推奨表示を行う場合の例を示す図である。
【符号の説明】
【００５６】
１２…フォーカスレンズ、１３…ズームレンズ、１４…絞り機構、１５…イメージセンサ、１６…フォーカス制御部、１７…ＡＦモータ、１８…ズーム制御部、１９…ズームモータ、２０…絞り制御部、２１…絞りモータ、２２…イメージセンサドライバ、２３…タイミングジェネレータ（ＴＧ）回路、２４…撮像回路、２５…バス、２６…ＡＥ処理部、２７…ＡＦ処理部、２８…画像処理回路、２９…圧縮伸張部、３０…ＳＤＲＡＭ、３１…記録媒体、３２…ＬＣＤドライバ、３３…ＬＣＤ、３４…Ｆｌａｓｈメモリ、３５…ＣＰＵ、３６…操作部、３７…スピーカ、３８…電源部
【図１】
2009071515.tif 000003
【図２】
2009071515.tif 000004
【図３】
2009071515.tif 000005
【図４】
2009071515.tif 000006
【図５】
2009071515.tif 000007
【図６】
2009071515.tif 000008
【図７】
2009071515.tif 000009
【図８】
2009071515.tif 000010
【図９】
2009071515.tif 000011
【図１０】
2009071515.tif 000012